(57)【要約】【課題】  通信端末が設置された際に自動的に回線種別を判定し、ユーザの初期設定作業をサポートし、また、回線種別が決定された以降は、ユーザが意図した場合以外では、回線種別の設定を行わせないようにする。【解決手段】  電源がＯＮされた際に回線自動選択フラグがＯＮであれば、回線自動選択部を起動して回線種別を判定して判定結果を表示部に表示し、操作部からのユーザ操作による回線種別の決定を待ち、回線種別が決定されると、回線自動選択フラグをＯＦＦとして不揮発性のメモリに書き込み、回線種別の選択結果をユーザ操作によって決定された値として不揮発性のメモリに書き込み、一方、電源がＯＮされた際に回線自動選択フラグがＯＦＦであれば、回線自動選択部を起動せずユーザ操作による回線種別の決定を待たずにスタンバイに移行する。【選択図】  図１
2006101066.tif 000002
【特許請求の範囲】
【請求項１】
複数の回線種別を持つ公衆回線に接続する通信端末において、
回線自動選択を行うか否かを示す回線自動選択フラグを格納する不揮発性のメモリと；
ユーザによる操作を受け付ける操作部と；
表示を行う表示部と；
回線種別を自動的に選択する回線自動選択部と；
上記不揮発性のメモリに格納されている回線種別の選択結果を備え、工場出荷状態において上記回線自動選択フラグがＯＮと書き込まれ、電源がＯＮされた際に上記回線自動選択フラグがＯＮであれば、上記回線自動選択部を起動して回線種別を判定して判定結果を上記表示部に表示し、上記操作部からのユーザ操作による回線種別の決定を待ち、回線種別が決定されると、上記回線自動選択フラグをＯＦＦとして上記不揮発性のメモリに書き込み、上記回線種別の選択結果をユーザ操作によって決定された値として上記不揮発性のメモリに書き込み、一方、電源がＯＮされた際に上記回線自動選択フラグがＯＦＦであれば、上記回線自動選択部を起動せず、ユーザ操作による回線種別の決定を待たずに、スタンバイに移行する制御手段と；
を有することを特徴とする通信端末における回線種別の設定装置。
【請求項２】
請求項１において、
上記回線自動選択フラグの値にかかわらず、上記操作部を介するユーザ操作によって、回線種別を手動で選択することを特徴とする通信端末における回線種別の設定装置。
【請求項３】
複数の回線種別を持つ公衆回線に接続する通信端末における回線種別の設定方法において、
不揮発性のメモリに格納されている回線種別の選択結果を備え、工場出荷状態において上記回線自動選択フラグがＯＮと書き込まれ、電源がＯＮされた際に回線自動選択フラグがＯＮであれば、回線自動選択部を起動して回線種別を判定して判定結果を表示部に表示し、操作部からのユーザ操作による回線種別の決定を待ち、回線種別が決定されると、上記回線自動選択フラグをＯＦＦとして上記不揮発性のメモリに書き込み、上記回線種別の選択結果をユーザ操作によって決定された値として上記不揮発性のメモリに書き込み、一方、電源がＯＮされた際に上記回線自動選択フラグがＯＦＦであれば、上記回線自動選択部を起動せず、ユーザ操作による回線種別の決定を待たずに、スタンバイに移行することを特徴とする通信端末における回線種別の設定方法。
【請求項４】
請求項３において、
上記回線自動選択フラグの値にかかわらず、上記操作部を介するユーザ操作によって、回線種別を手動で選択することを特徴とする通信端末における回線種別の設定方法。
【発明の詳細な説明】
【技術分野】
【０００１】
本発明は、公衆回線に接続される通信端末における回線種別の設定装置およびその設定方法に関する。
【背景技術】
【０００２】
従来から、公衆回線には、ダイヤル回線（２０ｐｐｓ／１０ｐｐｓ）とプッシュ回線（ＰＢ）との２種類の回線がある。ダイヤル回線とプッシュ回線との両方に対応し、ダイヤル回線モードとプッシュ回線モードとの２つの回線種別を、切り替えて使用する通信端末においては、使用する前に、どちらの回線に接続されているのか、回線種別を予め設定する必要がある。
【０００３】
通信端末が設置され、電源がＯＮされた際に、回線種別を自動的に判定し、その結果を設定することによって、ユーザ操作を伴わずに通信端末を使用できることが知られている（たとえば、特許文献１参照）。
【特許文献１】特開平８−２６５４５１号公報
【発明の開示】
【発明が解決しようとする課題】
【０００４】
しかし、通信端末が、ＩＰモデム等を経由し、公衆回線に接続されている場合、回線種別を自動的に判定すると、実際は、ダイヤル回線に接続されているにもかかわらず、プッシュ回線に接続されていると判定され、プッシュ回線モードに設定されることがある。このときに、ユーザは、回線種別が間違っていると認識することは難しい。
【０００５】
ユーザが、ＩＰ回線から回線接続する場合、回線種別の設定が間違っていても、正常に回線接続を行うことが可能であるが、１１０番等、公衆回線からしか回線接続できない特番にダイヤルする場合、回線種別の設定が間違っていると、回線接続に失敗するという問題がある。
【０００６】
本発明は、通信端末が設置された際に、回線種別を自動的に判定し、この判定結果を表示することによって、判定結果が正しい場合には、ユーザの設定作業を軽減させ、判定結果が誤っている場合には、ユーザに設定が誤っていることを認識させ誤りを訂正させることができ、これによって、簡単かつ的確な設定を行うことができ、また、回線種別が決定された以降は、契約の変更時等、ユーザが意図した場合以外における不要な回線種別の設定操作を行わせない回線種別の設定装置および設定方法を提供することを目的とする。
【課題を解決するための手段】
【０００７】
本発明は、複数の回線種別を持つ公衆回線に接続する通信端末において、回線自動選択を行うか否かを示す回線自動選択フラグを格納する不揮発性のメモリと、ユーザによる操作を受け付ける操作部と、表示を行う表示部と、回線種別を自動的に選択する回線自動選択部と、上記不揮発性のメモリに格納されている回線種別の選択結果を備え、工場出荷状態において上記回線自動選択フラグがＯＮと書き込まれ、電源がＯＮされた際に上記回線自動選択フラグがＯＮであれば、上記回線自動選択部を起動して回線種別を判定して判定結果を上記表示部に表示し、上記操作部からのユーザ操作による回線種別の決定を待ち、回線種別が決定されると、上記回線自動選択フラグをＯＦＦとして上記不揮発性のメモリに書き込み、上記回線種別の選択結果をユーザ操作によって決定された値として上記不揮発性のメモリに書き込み、一方、電源がＯＮされた際に上記回線自動選択フラグがＯＦＦであれば、上記回線自動選択部を起動せず、ユーザ操作による回線種別の決定を待たずに、スタンバイに移行する制御手段とを有することを特徴とする通信端末における回線種別の設定装置である。
【０００８】
また、本発明は、複数の回線種別を持つ公衆回線に接続する通信端末における回線種別の設定方法において、不揮発性のメモリに格納されている回線種別の選択結果を備え、工場出荷状態において上記回線自動選択フラグがＯＮと書き込まれ、電源がＯＮされた際に回線自動選択フラグがＯＮであれば、回線自動選択部を起動して回線種別を判定して判定結果を表示部に表示し、操作部からのユーザ操作による回線種別の決定を待ち、回線種別が決定されると、上記回線自動選択フラグをＯＦＦとして上記不揮発性のメモリに書き込み、上記回線種別の選択結果をユーザ操作によって決定された値として上記不揮発性のメモリに書き込み、一方、電源がＯＮされた際に上記回線自動選択フラグがＯＦＦであれば、上記回線自動選択部を起動せず、ユーザ操作による回線種別の決定を待たずに、スタンバイに移行する通信端末における回線種別の設定方法である。
【発明の効果】
【０００９】
本発明によれば、通信端末が設置された際に、回線種別を自動的に判定し、この判定結果を表示することによって、判定結果が正しい場合には、ユーザの設定作業を軽減させ、判定結果が誤っている場合には、ユーザに設定が誤っていることを認識させ誤りを訂正させることができ、これによって、簡単かつ的確な設定を行うことができるという効果を奏する。
【００１０】
また、本発明によれば、回線種別が決定された以降は、契約の変更時等、ユーザが意図した場合以外における不要な回線種別の設定操作を行わせないようにすることができるという効果を奏する。
【発明を実施するための最良の形態】
【００１１】
発明を実施するための最良の形態は、次の実施例である。
【実施例１】
【００１２】
図１は、本発明の実施例１である通信端末Ｔ１を示すブロック図である。
【００１３】
通信端末Ｔ１は、公衆回線１００に接続されている。公衆回線１０には、ダイヤル回線（２０ｐｐｓ／１０ｐｐｓ）と、プッシュ回線（ＰＢ）との２種類の回線がある。
【００１４】
通信端末Ｔ１は、端末の動作の制御を行うＣＰＵ１と、プログラムが格納されているＲＯＭ２と、不揮発性のメモリであるＦＬＡＳＨ３と、揮発性のメモリであるＲＡＭ４と、ユーザからの操作を受け付ける操作部５と、表示を行う表示部６と、回線制御を実行するＮＣＵ７と、回線種別の判別を自動で行う回線自動選択部８とを有している。
【００１５】
ＦＬＡＳＨ３には、電源がＯＦＦされたときに消えては困るデータが格納され、ＲＡＭ４には、電源がＯＦＦされたときに消えても問題ないデータが格納されている。
【００１６】
回線自動選択部８が起動されると、回線自動選択部８は、１０にダイヤル回線モードまたはプッシュ回線モードで、ダイヤル信号を送出し、その後に、ダイヤルトーンが検出され続けているかどうかによって、回線種別を判別する。
【００１７】
通信端末Ｔ１が、ＩＰモデム等を経由し、ダイヤル回線の公衆回線に接続されている状態で、回線自動選択部８が、回線種別を判定した場合、通信端末Ｔ１が、プッシュ回線モードでダイヤル信号を送出した場合も、ＩＰモデムが、ダイヤルトーンの送出を止めることがある。この場合、回線自動選択部８は、通信端末Ｔ１がダイヤル回線に接続されていると判断する。
【００１８】
つまり、ＣＰＵ１は、不揮発性のメモリに格納されている回線種別の選択結果を備え、工場出荷状態において回線自動選択フラグがＯＮと書き込まれ、電源がＯＮされた際に回線自動選択フラグがＯＮであれば、回線自動選択部を起動して回線種別を判定して判定結果を表示部に表示し、操作部からのユーザ操作による回線種別の決定を待ち、回線種別が決定されると、上記回線自動選択フラグをＯＦＦとして上記不揮発性のメモリに書き込み、上記回線種別の選択結果をユーザ操作によって決定された値として上記不揮発性のメモリに書き込み、一方、電源がＯＮされた際に上記回線自動選択フラグがＯＦＦであれば、上記回線自動選択部を起動せず、ユーザ操作による回線種別の決定を待たずに、スタンバイに移行する制御手段の例である。
【００１９】
次に、実施例１の動作について説明する。
【００２０】
図２、図３は、本発明の実施例１の動作を示すフローチャートである。
【００２１】
端末は、回線自動選択を行うかどうかを示すフラグと、回線種別の選択結果とを、不揮発性のメモリであるＦＬＡＳＨ３に持っている。工場出荷状態において、回線自動選択フラグは、ＯＮになっている（Ｓ１）。
【００２２】
ユーザによって端末の電源がＯＮされたときに（Ｓ２）、回線自動選択フラグがＯＮであれば（Ｓ３）、回線自動選択部８が、回線自動選択する（Ｓ４）。回線自動選択を行った結果、回線種別は、ダイヤル、プッシュまたは選択失敗のいずれかになる。このときに、回線種別の選択結果は、まだ、ＦＬＡＳＨ３には書き込まない。選択失敗した場合、表示部６等を用いて、ユーザにエラーを通知する。
【００２３】
続いて、初期設定を行う（Ｓ５）。回線種別の決定は、最終的には、初期設定の中でユーザに行わせる（Ｓ６）。これは、端末がＩＰモデム等を経由して１０に接続された場合、実際は、ダイヤル回線に接続されているにもかかわらず、回線自動選択の結果、回線種別がプッシュ回線モードと選択された場合、ユーザに設定が誤っていることを認識させ、誤りを訂正させるためである。
【００２４】
回線自動選択の結果は、ユーザに回線種別を決定させる画面におけるデフォルト設定値として使用され、表示部６に表示される。ユーザは、回線自動選択の結果が正しければ、そのまま決定し、結果が誤っていれば、手動で回線を選択し直し、決定すればよい。
【００２５】
ユーザが回線を決定する前の、ここまでのどこかのタイミングで、電源がＯＦＦされた場合、回線自動選択フラグは、ＯＮのままである。ユーザが回線を決定すると、回線自動選択フラグは、ＯＦＦになり（Ｓ７）、端末は、スタンバイに移行する（Ｓ８）。回線自動選択フラグは、ＦＬＡＳＨ３に書き込まれ、これ以降、電源がＯＦＦになった場合にも、書き換わることは無い。また、回線種別の選択結果も、ＦＬＡＳＨ３に書き込まれる。
【００２６】
回線がユーザによって決定される前に、電源ＯＦＦ、電源ＯＮ（Ｓ２）された場合、回線自動選択フラグは、ＯＮのままであるので（Ｓ３）、再度、回線自動選択（Ｓ４）からの動作が行われる。
【００２７】
回線がユーザによって決定された後に、電源ＯＦＦ（Ｓ９）、電源ＯＮ（Ｓ２）された場合、回線自動選択フラグは、ＯＦＦになっているので（Ｓ３）、端末は、回線自動選択と初期設定とを行わずに、スタンバイに移行する（Ｓ８）。これは、一度、回線種別が決定された後は、契約の変更等、ユーザが、意図的に公衆回線１０の設定を変更しない限り、再度、回線種別を設定し直す必要が無いためである。
【００２８】
一度、回線種別が決定された後に、契約の変更等によって、回線種別を変更する必要が生じた場合、端末のスタンバイ状態から（Ｓ１０）、メニューを選択し（Ｓ１１）、設定画面から（Ｓ１２）回線種別を選択し直すことによって、変更することが可能である（Ｓ１３）。この場合、回線自動選択フラグは、変更されず、ＯＦＦのままである。回線種別の選択結果は、ユーザが選択した結果が、ＦＬＡＳＨ３に書き込まれる。
【図面の簡単な説明】
【００２９】
【図１】本発明の実施例１である通信端末Ｔ１を示すブロック図である。
【図２】本発明の実施例１の動作を示すフローチャートである。
【図３】本発明の実施例１の動作を示すフローチャートである。
【符号の説明】
【００３０】
Ｔ１…通信端末、
１…ＣＰＵ、
２…ＲＯＭ、
３…ＦＬＡＳＨ、
４…ＲＡＭ、
５…操作部、
６…表示部、
７…ＮＣＵ、
８…回線自動選択部。
【図１】
2006101066.tif 000003
【図２】
2006101066.tif 000004
【図３】
2006101066.tif 000005